(57)【要約】【課題】押さえと針棒の下端部との干渉を回避する。【解決手段】ミシンは、押さえ棒抱きの下側において押さえ棒抱きに当接されると共に、押さえ棒の軸方向に相対移動可能に押さえ棒に連結された押さえ棒下げと、押さえ棒下げの下側において押さえ棒の軸方向に相対移動可能に押さえ棒に連結された押さえ棒上げと、押さえ棒上げを下側から支持すると共に、非操作位置からリフト操作位置へ回転操作されることで押さえ棒上げを持上げる操作レバーと、押さえ棒下げと押さえ棒上げとの間に設けられ、押さえ棒下げ及び押さえ棒上げを上下方向に離間させる方向に付勢する中間付勢部材と、押さえ棒下げに連結され、押さえ棒下げが上側へ移動することで上軸カムに係合すると共に、上軸カムとが係合するときの押さえ棒下げの高さを針棒の上下位置に対応した高さに設定する高さ設定機構と、を備えている。【選択図】図１
2019208806.tif 000002
【特許請求の範囲】
【請求項１】
上下方向を軸方向とし、下端部に針を固定する針棒と、
上下方向を軸方向とし、上下方向中間部に押さえ棒抱きが固定されると共に、下端部に押さえが装着された押さえ棒と、
作動することで前記針棒を上下方向に往復運動させる上軸と、前記針棒の上下位置に対応するカム面を有し前記上軸に一体回転可能に設けられた上軸カムと、を含んで構成された針棒駆動機構と、
前記押さえ棒抱きの下側において前記押さえ棒抱きに直接的又は間接的に当接すると共に、前記押さえ棒の軸方向に相対移動可能に前記押さえ棒に連結された押さえ棒下げと、
前記押さえ棒下げの下側において前記押さえ棒の軸方向に相対移動可能に前記押さえ棒に連結された押さえ棒上げと、
回転操作可能に構成され、前記押さえ棒上げを下側から支持すると共に、非操作位置からリフト操作位置へ回転操作されることで前記押さえ棒上げを持上げる操作レバーと、
前記押さえ棒下げと前記押さえ棒上げとの間に設けられ、前記押さえ棒下げ及び前記押さえ棒上げを上下方向に離間させる方向に付勢する中間付勢部材と、
前記押さえ棒下げに連結され、前記押さえ棒下げが上側へ移動することで前記上軸カムに係合すると共に、前記上軸カムと係合するときの前記押さえ棒下げの高さを前記針棒の上下位置に対応した高さに設定する高さ設定機構と、
を備えたミシン。
【請求項２】
前記高さ設定機構は、
回転可能に設けられ、回転することで前記上軸カムに係合する第１リンク部材と、
前記第１リンク部材と前記押さえ棒下げとを連結する第２リンク部材と、
を含んで構成されている請求項１に記載のミシン。
【請求項３】
前記操作レバーは、
前記押さえ棒上げに当接され、前記操作レバーの前記非操作位置から前記リフト操作位置への回転操作時に前記押さえ棒上げを持上げる第１カム面と、
前記操作レバーが前記リフト操作位置からさらに回転操作されたときに前記押さえ棒抱きと当接して前記押さえ棒抱きを持上げる第２カム面と、
を有している請求項１または請求項２に記載のミシン。
【請求項４】
前記第１カム面は、
前記操作レバーが前記非操作位置から前記リフト操作位置へ回転操作されるときに前記押さえ棒上げを持上げる第１摺動面と、
前記操作レバーが前記リフト操作位置からさらに回転操作されるときに前記押さえ棒上げに当接する第２摺動面と、
を含んで構成されており、
前記第２摺動面が、前記操作レバーの回転軸線方向から見て、前記操作レバーの回転軸線を中心とした円弧状に形成されている請求項３に記載のミシン。
【請求項５】
前記第１カム面と前記第２カム面とが、前記操作レバーの回転軸線方向において、隣接して配置されている請求項３又は請求項４に記載のミシン。
【発明の詳細な説明】
【技術分野】
【０００１】
本発明は、ミシンに関する。
【背景技術】
【０００２】
ミシンは、各種の縫製に対応した押さえを有している。例えば、下記特許文献１に記載されたミシンでは、上送り機構を有する押さえが、押さえ棒の下端部に装着されている。そして、押さえを交換するときには、針棒が上死点に配置されている状態で、レバーによって押さえ棒を上昇させる。これにより、針棒の下端部（針を針棒に止める針止め）と、押さえと、が干渉せずに、押さえの交換を行うことができる。
【０００３】
ところで、針棒が下死点に配置されている状態で押さえ棒を上昇させた場合や、押さえの交換可能な状態（針棒が上死点に配置され、押さえ棒が上昇された状態）で針棒を下死点へ下降させた場合等では、押さえと針棒の下端部（針止め）とが干渉するという問題がある。
【０００４】
これに対して、例えば、押さえの形状を工夫して、押さえと針棒の下端部（針止め）との干渉を回避している。また、例えば、押さえの高さを自動で調節できる自動調節機構を有するミシンでは、特定のモードに遷移したときに、針棒の下側への移動をセンサによって検知して、自動調節機構によって押さえを下げることで、押さえと針止めとの干渉を回避している。
【先行技術文献】
【特許文献】
【０００５】
【特許文献１】特開２０１３−５２１２２号公報
【発明の概要】
【発明が解決しようとする課題】
【０００６】
しかしながら、押さえの形状を工夫して、上記問題に対応する場合には、使用する押さえ毎に形状を変更しなければならず、部品数が増加するという問題が生じる。また、自動調節機構を有するミシンであっても、特定のモード以外の場合には、押さえと針棒の下端部（針止め）との干渉を回避することができない。よって、ミシンでは、押さえと針棒の下端部（針止め）との干渉を回避できる構造にすることが望ましい。
【０００７】
上記事実を考慮して、本発明は、押さえと針棒の下端部との干渉を回避することができるミシンを提供することを目的とする。
【課題を解決するための手段】
【０００８】
本発明の１又はそれ以上の実施形態は、上下方向を軸方向とし、下端部に針を固定する針棒と、上下方向を軸方向とし、上下方向中間部に押さえ棒抱きが固定されると共に、下端部に押さえが装着された押さえ棒と、作動することで前記針棒を上下方向に往復運動させる上軸と、前記針棒の上下位置に対応するカム面を有し前記上軸に一体回転可能に設けられた上軸カムと、を含んで構成された針棒駆動機構と、前記押さえ棒抱きの下側において前記押さえ棒抱きに直接的又は間接的に当接すると共に、前記押さえ棒の軸方向に相対移動可能に前記押さえ棒に連結された押さえ棒下げと、前記押さえ棒下げの下側において前記押さえ棒の軸方向に相対移動可能に前記押さえ棒に連結された押さえ棒上げと、回転操作可能に構成され、前記押さえ棒上げを下側から支持すると共に、非操作位置からリフト操作位置へ回転操作されることで前記押さえ棒上げを持上げる操作レバーと、前記押さえ棒下げと前記押さえ棒上げとの間に設けられ、前記押さえ棒下げ及び前記押さえ棒上げを上下方向に離間させる方向に付勢する中間付勢部材と、前記押さえ棒下げに連結され、前記押さえ棒下げが上側へ移動することで前記上軸カムに係合すると共に、前記上軸カムと係合するときの前記押さえ棒下げの高さを前記針棒の上下位置に対応した高さに設定する高さ設定機構と、を備えたミシンである。
【０００９】
本発明の１又はそれ以上の実施形態は、前記高さ設定機構は、回転可能に設けられ、回転することで前記上軸カムに係合する第１リンク部材と、前記第１リンク部材と前記押さえ棒下げとを連結する第２リンク部材と、を含んで構成されているミシンである。
【００１０】
本発明の１又はそれ以上の実施形態は、前記操作レバーは、前記押さえ棒上げに当接され、前記操作レバーの前記非操作位置から前記リフト操作位置への回転操作時に前記押さえ棒上げを持上げる第１カム面と、前記操作レバーが前記リフト操作位置からさらに回転操作されたときに前記押さえ棒抱きと当接して前記押さえ棒抱きを持上げる第２カム面と、を有しているミシンである。
【００１１】
本発明の１又はそれ以上の実施形態は、前記第１カム面は、前記操作レバーが前記非操作位置から前記リフト操作位置へ回転操作されるときに前記押さえ棒上げを持上げる第１摺動面と、前記操作レバーが前記リフト操作位置からさらに回転操作されるときに前記押さえ棒上げに当接する第２摺動面と、を含んで構成されており、前記第２摺動面が、前記操作レバーの回転軸線方向から見て、前記操作レバーの回転軸線を中心とした円弧状に形成されているミシンである。
【００１２】
本発明の１又はそれ以上の実施形態は、前記第１カム面と前記第２カム面とが、前記操作レバーの回転軸線方向において、隣接して配置されているミシンである。
【発明の効果】
【００１３】
上記構成のミシンによれば、押さえと針棒の下端部との干渉を回避することができる。
【図面の簡単な説明】
【００１４】
【図１】本実施の形態に係るミシンにおいて、針棒が下死点に配置され且つ操作レバーがリフト操作位置に配置されたときのミシンの状態を示す左側から見た側面図である。
【図２】本実施の形態に係るミシンにおいて、針棒が上死点に配置され且つ操作レバーが非操作位置に配置されたときのミシンの状態を示す左斜め前方から見た斜視図である。
【図３】図２に示されるミシンの状態を示す左側から見た側面図である。
【図４】図２に示される状態から操作レバーをリフト操作位置に操作したときのミシンの状態を示す右斜め後方から見た斜視図である。
【図５】図４に示されるミシンの状態を示す左側から見た側面図である。
【図６】図４に示される上軸カムと第１リンク部材との係合状態を示す一部破断した側面図である。
【図７】図４に示される押さえ棒抱き及びリフト機構を、支持フレームを取り除いた状態で示す左斜め後方から見た斜視図である。
【図８】（Ａ）は、図３に示される操作レバーを示す左側から見た側面図であり、（Ｂ）は、（Ａ）の操作レバーを右側から見た側面図である。
【図９】図５に示される状態から操作レバーを補助リフト操作位置に操作したときのミシンの状態を示す左側から見た側面図である。
【図１０】本実施の形態に係るミシンにおいて、針棒が下死点に配置され且つ操作レバーが非操作位置に配置されたときのミシンの状態を示す左側から見た側面図である。
【発明を実施するための形態】
【００１５】
以下、図面を用いて、本実施の形態に係るミシン１０について説明する。なお、図面において、適宜示される矢印ＵＰ、矢印ＦＲ、矢印ＲＨは、それぞれミシン１０の上側、前側、右側を示している。そして、以下の説明において、上下、前後、左右の方向を用いて説明するときは、特に断りのない限り、ミシン１０の上下、前後、左右を示すものとする。
【００１６】
図２〜図５に示されるように、ミシン１０は、針棒３０と、針棒３０を上下方向に往復運動させるための針棒駆動機構４０と、押さえ棒５２と、リフト機構６０と、針棒３０や押さえ棒５２等を支持するための支持フレーム１２（広義には、「支持部材」として把握される要素である）と、を含んで構成されている。
【００１７】
また、押さえ棒５２は上下方向に延在しており、押さえ棒５２の下端部には、押さえ２２が着脱可能に固定されている。そして、図３に示されるように、針板２４の上側に配置された布等の縫製対象物（図示省略）を押さえ２２によって押えて、縫製対象物に対して縫製を行うようになっている（以下、押さえ棒５２（押さえ２２）におけるこの位置を、「押さえ位置」という）。
【００１８】
また、本実施の形態では、リフト機構６０が作動することで、押さえ棒５２（押さえ２２）が、押さえ位置から上昇して、押さえ２２が針板２４から離間するようになっている（図５に示される位置であり、以下、押さえ棒５２（押さえ２２）におけるこの位置を、「リフト位置」という）。そして、押さえ棒５２をリフト位置へ上昇させることで、例えば、押さえ２２の交換作業等を行えるようになっている。さらに、本実施の形態では、リフト機構６０の作動によって、押さえ棒５２（押さえ２２）がリフト位置からさらに上昇して、押さえ２２が針板２４からさらに離間するようになっている（図９に示される位置であり、以下、押さえ棒５２（押さえ２２）におけるこの位置を「補助リフト位置」という）。そして、押さえ棒５２を補助リフト位置に上昇させることで、例えば、比較的厚いものを押さえ２２と針板２４との間に通す作業等を行えるようになっている。
以下、ミシン１０の各構成について説明する。なお、以下の説明では、特に断りのない限り、押さえ棒５２（押さえ２２）が押さえ位置に配置された状態として説明する。
【００１９】
（支持フレーム１２について）
図２〜図５に示されるように、支持フレーム１２は、メインフレーム１４及びサブフレーム２０を有している。メインフレーム１４は、左側から見た側面視で、前側へ開放された略Ｕ字形板状に形成されている。具体的には、メインフレーム１４は、前後方向を板厚方向とするリヤフレーム部１４Ｒと、リヤフレーム部１４Ｒの上端部において前側へ屈曲されたアッパフレーム部１４Ｕと、リヤフレーム部１４Ｒの下端部において前側へ屈曲されたロアフレーム部１４Ｌと、を含んで構成されている。そして、メインフレーム１４が、ミシン１０の骨格を構成する骨格フレーム（図示省略）に固定されている。
【００２０】
リヤフレーム部１４Ｒの上下方向中間部には、略クランク状に屈曲された屈曲部１４Ａが形成されており、リヤフレーム部１４Ｒの上部が、リヤフレーム部１４Ｒの下部に比べて後側に突出されている。リヤフレーム部１４Ｒの上部には、前側へ屈曲され且つ左右方向を板厚方向とした連結片１４Ｂが形成されている。連結片１４Ｂには、後述する第１リンク部材８２を支持するためのリンク支持軸１６が固定されており、リンク支持軸１６は、左右方向を軸方向とした円柱状に形成されて、連結片１４Ｂから右側へ突出されている。
【００２１】
リヤフレーム部１４Ｒの下部には、右側部分において、挿通孔１４Ｃ（図４参照）が貫通形成されており、挿通孔１４Ｃは上下方向を長手方向とした略矩形状に形成されている。この挿通孔１４Ｃの右側の縁部には、後側へ屈曲され且つ左右方向を板厚方向とする連結片１４Ｄが形成されている。連結片１４Ｄには、後述する操作レバー６２を支持するためのレバー支持軸１８が固定されており、レバー支持軸１８は、左右方向を軸方向とした円柱状に形成されて、連結片１４Ｄから左側へ突出されている。
【００２２】
リヤフレーム部１４Ｒの下部には、挿通孔１４Ｃに対して左側且つ上側の位置において、第１ガイド溝１４Ｅが貫通形成されている。第１ガイド溝１４Ｅは、上下方向に延在されたスリット状に形成されており、第１ガイド溝１４Ｅの上端部は、リヤフレーム部１４Ｒの屈曲部１４Ａを上下方向に貫通している。また、リヤフレーム部１４Ｒの下部には、第１ガイド溝１４Ｅの下側の位置において、第２ガイド溝１４Ｆ（図２参照）が貫通形成されている。さらに、リヤフレーム部１４Ｒの下部には、第１ガイド溝１４Ｅの左側の位置において、第３ガイド溝１４Ｇが貫通形成されている。第２ガイド溝１４Ｆ及び第３ガイド溝１４Ｇは、上下方向に延在されたスリット状に形成されている。
【００２３】
サブフレーム２０は、左側から見て、略Ｌ字形板状に形成されている。そして、サブフレーム２０の後端部が、メインフレーム１４のロアフレーム部１４Ｌの先端部に締結固定されている。
【００２４】
（針棒３０について）
針棒３０は、上下方向を軸方向とする略円柱状に形成されて、針棒３０の上下方向中間部が、軸方向に相対移動可能にサブフレーム２０に支持されている。また、針棒３０の下端部には、略直方体ブロック状の針止め３２が設けられており、針止め３２に針３４が固定されている。詳しくは、針３４の上端部が、針止め３２に固定されて、針３４が、針止め３２から下側へ延出されている。
【００２５】
さらに、針棒３０の上下方向中間部には、後述する針棒駆動機構４０と連結される連結軸３６が相対移動不能に設けられており、連結軸３６は、針棒３０に対して右側へ突出されている。そして、針棒３０が、後述する針棒駆動機構４０によって、上死点（図３に示される位置）と下死点（図１０に示される位置）との間を、上下運動するようになっている。
【００２６】
（針棒駆動機構４０について）
針棒駆動機構４０は、上軸４２と、クランク機構４４と、上軸カム５０と、を含んで構成されている。
上軸４２は、左右方向を軸方向とした円柱状に形成されると共に、針棒３０の上端部の右側に配置されている。この上軸４２には、図示しないミシンモータが連結されており、ミシンモータの駆動力によって上軸４２が自身の軸回りに回転するようになっている。また、上軸４２の右端部には、はずみ車（図示省略）が設けられている。そして、はずみ車を手動操作することで、上軸４２が自身の軸回りに回転するようになっている。
【００２７】
クランク機構４４は、針棒クランク４６と、クランクロッド４８と、を含んで構成されている。針棒クランク４６は、上軸４２の左端部に一体回転可能に設けられている。クランクロッド４８は、針棒クランク４６と針棒３０との間に配置されている。そして、クランクロッド４８の一端部が、上軸４２の軸心に対して偏心した位置において、左右方向を軸方向として針棒クランク４６に回転可能に連結されている。一方、クランクロッド４８の他端部は、針棒３０の連結軸３６に、左右方向を軸方向として回転可能に連結されている。これにより、上軸４２が自身の軸回りに回転することで、針棒３０がクランク機構４４によって上死点と下死点との間を上下動する構成になっている。
【００２８】
上軸カム５０は、左右方向を板厚方向とした略円板状の板カムとして構成されている。そして、上軸カム５０が、針棒クランク４６の右側に隣接した位置において、上軸４２の左端部に一体回転可能に設けられている。図６に示されるように、上軸カム５０の外周面は、「カム面」としての上軸カム面５０Ａとして構成されている。この上軸カム面５０Ａは、大径カム面５０Ａ１及び小径カム面５０Ａ２と、一対の除変カム面５０Ａ３と、を含んで構成されている。大径カム面５０Ａ１及び小径カム面５０Ａ２は、上軸カム面５０Ａの周方向において、略１８０離間して配置されて、一対の除変カム面５０Ａ３によって接続されている。また、大径カム面５０Ａ１及び小径カム面５０Ａ２は、側面視で、上軸４２の軸心を中心とする円弧状に形成されており、大径カム面５０Ａ１の半径が、小径カム面５０Ａ２の半径よりも大きく設定されている。さらに、上軸４２の軸心から除変カム面５０Ａ３までの長さが、小径カム面５０Ａ２から大径カム面５０Ａ１へ向かうに従い大きくなるように設定されている。
【００２９】
（押さえ棒５２について）
図２〜図５に示されるように、押さえ棒５２は、上下方向を軸方向とした略円柱状に形成されている。また、押さえ棒５２は、針棒３０の後側に配置されて、上下方向に相対移動可能にメインフレーム１４に支持されている。具体的には、押さえ棒５２の上端部が、メインフレーム１４のアッパフレーム部１４Ｕに相対移動可能に支持されており、押さえ棒５２の下端側の部分が、メインフレーム１４のロアフレーム部１４Ｌに相対移動可能に支持されている。
【００３０】
図７にも示されるように、押さえ棒５２の上下方向中間部には、押さえ棒抱き５４が設けられている。押さえ棒抱き５４は、板材によって構成されると共に、所定の形状に屈曲されている。具体的には、押さえ棒抱き５４は、押さえ棒抱き５４の上端部を構成する押さえ棒抱き本体５４Ａと、押さえ棒抱き本体５４Ａから下側へ延出された押さえ棒抱きアーム５４Ｂと、を含んで構成されている。
【００３１】
押さえ棒抱き本体５４Ａは、前側から見た正面視で、右側へ開放された略Ｕ字形状に屈曲されている。そして、押さえ棒５２が押さえ棒抱き本体５４Ａの上壁及び下壁を貫通した状態で、押さえ棒抱き本体５４Ａの左側壁が、ねじ等の締結部材によって押さえ棒５２に締結固定されている。これにより、押さえ棒抱き５４が押さえ棒５２に相対移動不能に固定されている。
【００３２】
なお、押さえ棒抱き本体５４Ａ（押さえ棒抱き５４）は、後述するリフト機構６０によって下側から支持されており、上下方向における押さえ棒抱き５４の位置、すなわち、押さえ棒５２の位置がリフト機構６０の状態に応じて決定されるようになっている。
【００３３】
押さえ棒抱きアーム５４Ｂは、押さえ棒抱き本体５４Ａの下壁から下側へ延出されており、押さえ棒抱きアーム５４Ｂの下端部が後側へ屈曲されている。そして、押さえ棒抱きアーム５４Ｂの下端部を、ロアアーム部５４Ｂ１としており、ロアアーム部５４Ｂ１が、メインフレーム１４の挿通孔１４Ｃ内を挿通して、メインフレーム１４のリヤフレーム部１４Ｒから後側へ突出されている。さらに、ロアアーム部５４Ｂ１の先端部（後端部）には、側面視で上斜め後方に屈曲されたガイド部５４Ｂ２が形成されている。
【００３４】
押さえ棒抱き５４の側壁には、後側へ延出されたガイドアーム５４Ｃが形成されており、ガイドアーム５４Ｃが、メインフレーム１４における第１ガイド溝１４Ｅの下端側の部分に相対移動可能に挿入されている。これにより、押さえ棒５２の軸回りの回転が、ガイドアーム５４Ｃ及びメインフレーム１４によって制限されている。
【００３５】
図２〜図５に示されるように、押さえ棒５２の上端部には、メインフレーム１４のアッパフレーム部１４Ｕと押さえ棒抱き５４との間の位置において、圧縮コイルスプリングとして構成された押さえ棒付勢バネ５６（広義には、「押さえ棒付勢部材」として把握される要素である）が装着されている。そして、押さえ棒付勢バネ５６が圧縮変形した状態で、押さえ棒付勢バネ５６の上端部が、メインフレーム１４のアッパフレーム部１４Ｕに係止され、押さえ棒付勢バネ５６の下端部が、押さえ棒抱き５４の上壁に係止されている。これにより、押さえ棒付勢バネ５６の付勢力によって、押さえ棒５２が下側へ付勢されている。
【００３６】
（リフト機構６０について）
図２〜図５、及び図７に示されるように、リフト機構６０は、操作レバー６２と、操作レバー６２によって押さえ棒抱き５４（押さえ棒５２）を押さえ位置からリフト位置へ上昇させるための押さえ棒上げ７０と、押さえ棒抱き５４（押さえ棒５２）のリフト位置を針棒３０の上下位置（上軸４２の回転位相）に応じて変更するリフト位置変更機構７２と、を含んで構成されている。
【００３７】
＜操作レバー６２について＞
図２、図３、図７、及び図８に示されるように、操作レバー６２は、リヤフレーム部１４Ｒの下部の後側に配置されている。操作レバー６２は、左右方向を板厚方向とした略矩形板状のレバー本体部６４と、側面視でレバー本体部６４から後斜め下方へ延出したレバー部６６と、を含んで構成されている。レバー本体部６４の前端部には、上端側の部位において、円形状の支持孔６４Ａが左右方向に貫通形成されている。そして、メインフレーム１４のレバー支持軸１８が支持孔６４Ａに挿入されて、操作レバー６２がレバー支持軸１８に回転可能に支持されている。これにより、操作レバー６２が、左右方向を軸方向としてメインフレーム１４に回転操作可能に支持されている。具体的には、操作レバー６２が、非操作位置（図３に示される位置）から回転方向一方側（図３の矢印Ａ方向側）へ回転されたリフト操作位置（図５に示される位置）に回転可能に構成されている。また、本実施の形態では、操作レバー６２は、リフト操作位置から回転方向一方側へさらに回転された補助リフト操作位置（図９に示される位置）に回転可能に構成されている。
【００３８】
また、操作レバー６２の非操作位置では、操作レバー６２のレバー本体部６４が、メインフレーム１４におけるロアフレーム部１４Ｌの後端部に形成されたストッパ部１４Ｈに当接して、操作レバー６２の回転方向他方側（図３の矢印Ｂ方向側）への回転が制限されている。
【００３９】
レバー本体部６４は、レバー本体部６４の右側部分を構成する右レバー本体部６４Ｒと、レバー本体部６４の左側部分を構成する左レバー本体部６４Ｌと、を含んで構成されている。右レバー本体部６４Ｒは、押さえ棒５２（押さえ２２）を押さえ位置からリフト位置へ上昇させるための機構部として構成されており、左レバー本体部６４Ｌは、押さえ棒５２（押さえ２２）をリフト位置から補助リフト位置へ上昇させるための機構部として構成されている。そして、押さえ棒抱き５４のロアアーム部５４Ｂ１が、左レバー本体部６４Ｌの上側に位置するように、左右方向におけるロアアーム部５４Ｂ１及びレバー本体部６４の位置が設定されている。
【００４０】
右レバー本体部６４Ｒは、その外周面の一部において、「第１カム面」としてのリフトカム面６４ＲＡを有している。リフトカム面６４ＲＡは、支持孔６４Ａの上側に配置された第１摺動面６４ＲＢと、支持孔６４Ａの後側に配置された第２摺動面６４ＲＣと、を含んで構成されており、第１摺動面６４ＲＢと第２摺動面６４ＲＣとが滑らかに接続されている。
【００４１】
第１摺動面６４ＲＢは、基端側摺動面６４ＲＢ１と、中間摺動面６４ＲＢ２と、終端側摺動面６４ＲＢ３と、を有しており、これらの面が、後側へ向かって、この順に並んで配置されている。基端側摺動面６４ＲＢ１は、側面視で前後方向に沿って延在されている。中間摺動面６４ＲＢ２は、側面視で基端側摺動面６４ＲＢ１の後端から後斜め上方側へ延出されており、中間摺動面６４ＲＢ２の後端部が後斜め上方側へ凸となるよう略円弧状に湾曲されている。終端側摺動面６４ＲＢ３は、側面視で中間摺動面６４ＲＢ２の後端から下側へ向かうに後側へ若干傾斜する方向へ延出されている。そして、第１摺動面６４ＲＢにおける支持孔６４Ａ（レバー支持軸１８）の軸心の真上の位置を第１摺動面６４ＲＢの基端（図８（Ｂ）においてドットａにて示される部位）とすると、支持孔６４Ａ（レバー支持軸１８）の軸心から第１摺動面６４ＲＢまでの距離が、第１摺動面６４ＲＢの基端から終端（図８（Ｂ）においてドットｂにて示される部位）へ向かうに従い長くなるように設定されている。さらに、操作レバー６２がリフト操作位置に回転した状態では、終端側摺動面６４ＲＢ３が、側面視で、レバー支持軸１８の上側において前後方向に沿って配置されるようになっている（図５参照）。
【００４２】
第２摺動面６４ＲＣは、支持孔６４Ａ（すなわち、レバー支持軸１８）の軸心を中心とした円弧面として構成されている。換言すると、支持孔６４Ａ（レバー支持軸１８）の軸心から第２摺動面６４ＲＣまでの距離が、第２摺動面６４ＲＣの基端（図８（Ｂ）においてドットｂにて示される部位）から終端（図８（Ｂ）においてドットｃにて示される部位）に亘って一定に設定されている。
【００４３】
そして、詳細については後述するが、操作レバー６２の非操作位置からリフト操作位置への操作時に、第１摺動面６４ＲＢによって、後述する押さえ棒上げ７０を持上げるようになっている。さらに、操作レバー６２のリフト操作位置から補助リフト操作位置への操作時には、第２摺動面６４ＲＣによって、後述する押さえ棒上げ７０の上下方向の位置を維持するようになっている。
【００４４】
左レバー本体部６４Ｌは、その外周面の一部において、非当接面６４ＬＡを有している。この非当接面６４ＬＡは、側面視でリフトカム面６４ＲＡの第１摺動面６４ＲＢよりも下側に配置されている。この非当接面６４ＬＡは、湾曲面６４ＬＡ１と、第１傾斜面６４ＬＡ２と、第２傾斜面６４ＬＡ３と、を含んで構成されており、これらの面が、後側へ向かって、この順に並んで配置されている。湾曲面６４ＬＡ１は、側面視で支持孔６４Ａと同心円状を成す、上側へ凸となる略半円状に形成されている。第１傾斜面６４ＬＡ２は、支持孔６４Ａの後側に配置されると共に、側面視で後側へ向かうに従い下側へ傾斜されており、第１傾斜面６４ＬＡ２の後端が、側面視でリフトカム面６４ＲＡの第２摺動面６４ＲＣと交差している。第２傾斜面６４ＬＡ３は、側面視で、第１傾斜面６４ＬＡ２の後端から後側へ向かうに従い上側へ若干傾斜下方向に延出している。
【００４５】
そして、操作レバー６２の非操作位置では、押さえ棒抱き５４のロアアーム部５４Ｂ１が非当接面６４ＬＡの上側に離間して配置されるように、ロアアーム部５４Ｂ１及び非当接面６４ＬＡの上下方向の位置が設定されている（図３参照）。また、操作レバー６２が非操作位置とリフト操作位置との間を回転するときには、非当接面６４ＬＡとロアアーム部５４Ｂ１とが当接しないようになっている。
【００４６】
また、左レバー本体部６４Ｌは、その外周面の一部において、「第２カム面」としての補助リフトカム面６４ＬＢを有しており、補助リフトカム面６４ＬＢは、側面視で非当接面６４ＬＡの後端から後斜め下方側へ延出されている。具体的には、補助リフトカム面６４ＬＢが、側面視で後斜め上方に凸となる略円弧状に形成されている。また、側面視で、支持孔６４Ａ（レバー支持軸１８）の軸心から補助リフトカム面６４ＬＢまでの距離が、補助リフトカム面６４ＬＢの基端（図８（Ａ）においてドットｄにて示される部位）から終端（図８（Ａ）においてドットｅにて示される部位）へ向かうに従い長くなるように設定され、リフト量が増えるようになっている。
【００４７】
そして、図４及び図５に示されるように、操作レバー６２がリフト操作位置に回転されたときには、補助リフトカム面６４ＬＢが、押さえ棒抱き５４のロアアーム部５４Ｂ１におけるガイド部５４Ｂ２の後側に離間して配置されると共に、ロアアーム部５４Ｂ１の下面よりも上側の位置において、側面視で上側へ凸となるように配置される構成になっている。さらに、操作レバー６２が、リフト操作位置から補助リフト操作位置へ回転されるときには、補助リフトカム面６４ＬＢが、ロアアーム部５４Ｂ１の下面に当接し、ロアアーム部５４Ｂ１の下面を摺動しながらロアアーム部５４Ｂ１（すなわち、押さえ棒抱き５４）を持上げる構成になっている（図９参照）。
【００４８】
＜押さえ棒上げ７０について＞
図２、図３、及び図７に示されるように、押さえ棒上げ７０は、前側から見た正面視で、略逆Ｌ字形板状に形成されている。具体的には、押さえ棒上げ７０は、上下方向を板厚方向とする上壁と、当該上壁の左端部において下側へ屈曲された側壁と、を有している。そして、押さえ棒上げ７０の上壁が、押さえ棒抱き５４の下側の位置において、上下方向に相対移動可能に押さえ棒５２に連結されている。
【００４９】
押さえ棒上げ７０の上壁には、後側へ延出された支持アーム７０Ａが一体に形成されている。この支持アーム７０Ａは、メインフレーム１４の挿通孔１４Ｃを挿通しており、支持アーム７０Ａの先端部分（後部）が、操作レバー６２のリフトカム面６４ＲＡにおける第１摺動面６４ＲＢ（基端側摺動面６４ＲＢ１）上に載置されている（図３参照）。これにより、押さえ棒上げ７０が、操作レバー６２によって下側から支持されている。また、支持アーム７０Ａの先端部には、側面視で後斜め上方に屈曲されたガイド部７０Ｂが形成されている。
【００５０】
そして、操作レバー６２が非操作位置からリフト操作位置へ回転するときには、リフトカム面６４ＲＡの第１摺動面６４ＲＢが、ガイド部７０Ｂ及び支持アーム７０Ａの下面を摺動しながら、支持アーム７０Ａを上側へ持上げるようになっている。また、操作レバー６２がリフト操作位置に回転されたときには、支持アーム７０Ａが第１摺動面６４ＲＢの終端側摺動面６４ＲＢ３上に載置される構成になっている（図５参照）。さらに、操作レバー６２がリフト操作位置から補助リフト操作位置へ回転するときには、リフトカム面６４ＲＡの第２摺動面６４ＲＣが、支持アーム７０Ａの下面を摺動するようになっている（図９参照）。
【００５１】
押さえ棒上げ７０の側壁の下端部には、後側へ延出されたガイドアーム７０Ｃが一体に形成されており、ガイドアーム７０Ｃの先端部（後端部）が、メインフレーム１４の第２ガイド溝１４Ｆの下端部に相対移動可能に挿入されている。これにより、押さえ棒上げ７０における押さえ棒５２の軸回りの回転がメインフレーム１４によって制限されると共に、押さえ棒上げ７０が上下方向に移動するときに、押さえ棒上げ７０がメインフレーム１４によってガイドされる構成になっている。
【００５２】
＜リフト位置変更機構７２について＞
リフト位置変更機構７２は、押さえ棒下げ７４と、「中間付勢部材」としてのバッファーバネ７６と、「高さ設定機構」としてのリンク機構８０と、を含んで構成されている。
【００５３】
［押さえ棒下げ７４について］
押さえ棒下げ７４は、正面視で、右側へ開放された略Ｕ字形板状に形成されている。具体的には、押さえ棒下げ７４は、左右方向を板厚方向とした側壁と、側壁の上端部から右側へ延出された上壁と、側壁の下端部から右側へ延出された下壁と、を含んで構成されている。そして、押さえ棒下げ７４が、押さえ棒抱き５４の下側に隣接して配置されると共に、押さえ棒下げ７４の上壁及び下壁が、上下方向に相対移動可能に押さえ棒５２に連結されている。
【００５４】
押さえ棒下げ７４の側壁には、後側へ延出されたガイドアーム７４Ａが一体に形成されており、ガイドアーム７４Ａの先端部（後端部）が、メインフレーム１４の第３ガイド溝１４Ｇの下端部に相対移動可能に挿入されている。これにより、押さえ棒下げ７４における押さえ棒５２の軸回りの回転がメインフレーム１４によって制限されると共に、押さえ棒下げ７４が上下方向に移動するときに、押さえ棒下げ７４がメインフレーム１４によってガイドされる構成になっている。
【００５５】
［バッファーバネ７６について］
バッファーバネ７６は、圧縮コイルスプリングとして構成されて、押さえ棒上げ７０と押さえ棒下げ７４との間の位置において、押さえ棒５２に装着されている。そして、前述したように、押さえ棒抱き５４は、押さえ棒付勢バネ５６によって下側へ付勢されている。このため、押さえ位置では、押さえ棒抱き５４（押さえ棒５２）が、押さえ棒下げ７４、バッファーバネ７６、及び押さえ棒上げ７０を介して、操作レバー６２によって下側から支持されている。
【００５６】
また、バッファーバネ７６の付勢力は、押さえ棒付勢バネ５６の付勢力よりも大きく設定されている。これにより、操作レバー６２が非操作位置からリフト操作位置へ回転操作されたときには、操作レバー６２のリフトカム面６４ＲＡ（第１摺動面６４ＲＢ）によって、押さえ棒上げ７０、バッファーバネ７６、及び押さえ棒下げ７４が、一体に持上げられて、押さえ棒抱き５４（押さえ棒５２）がリフト位置に上昇するようになっている。
【００５７】
［リンク機構８０について］
リンク機構８０は、押さえ棒下げ７４に連結されている。そして、リンク機構８０は、操作レバー６２がリフト操作位置に回転操作されたときの押さえ棒下げ７４の上下位置（高さ）を、針棒３０の上下位置に応じた高さに設定する機構として構成されている。以下、具体的に説明する。
【００５８】
リンク機構８０は、第１リンク部材８２と、第２リンク部材８４と、を含んで構成されている。
第１リンク部材８２は、正面視で下側へ開放された略Ｕ字形板状に形成されている。具体的には、第１リンク部材８２は、第１リンク部材８２の右端（一端）を構成する「アーム部」としての右リンクアーム８２Ｒと、第１リンク部材８２の左端（他端）を構成する左リンクアーム８２Ｌと、を有している。右リンクアーム８２Ｒ及び左リンクアーム８２Ｌは、左右方向を板厚方向とした略長尺板状に形成されており、右リンクアーム８２Ｒ及び左リンクアーム８２Ｌの基端が、左右方向に延在された連結片８２Ａによって連結されている。そして、右リンクアーム８２Ｒ及び左リンクアーム８２Ｌの基端部が、上軸４２と平行を成すリンク支持軸１６によって回転可能に支持されている。これにより、第１リンク部材８２が、左右方向を軸方向としてメインフレーム１４に回転可能に支持されている。
【００５９】
右リンクアーム８２Ｒは、前述した上軸カム５０の後側に離間して配置されると共に、側面視で下側へ向かうに従い前側へ若干傾斜している。具体的には、右リンクアーム８２Ｒの先端部が、上軸カム５０の下部の後側に離間して配置されている。また、右リンクアーム８２Ｒの先端部は、カバー部材８６によって覆われている。
【００６０】
左リンクアーム８２Ｌは、側面視で、右リンクアーム８２Ｒに対して第１リンク部材８２の回転方向一方側（図３の矢印Ｃ方向側）に配置されている。具体的には、左リンクアーム８２Ｌは、側面視で、前側へ向かうに従い下側へ傾斜されており、左リンクアーム８２Ｌの先端部が、側面視で、押さえ棒下げ７４の略真上に配置されている。
【００６１】
第２リンク部材８４は、左右方向を板厚方向とし略上下方向に延在された略長尺板状に形成されて、押さえ棒下げ７４及び第１リンク部材８２の左側に隣接して配置されている。そして、第２リンク部材８４の一端部（上端部）が、左右方向を軸方向とした連結ピンＰ１によって、第１リンク部材８２における左リンクアーム８２Ｌの先端部に回転可能に連結されている。一方、第２リンク部材８４の他端部が、左右方向を軸方向とした連結ピンＰ２によって、押さえ棒下げ７４の側壁に回転可能に連結されている。
【００６２】
そして、操作レバー６２の非操作位置からリフト操作位置への操作時には、第２リンク部材８４が押さえ棒下げ７４の上側への移動に伴って上側へ変位するため、第１リンク部材８２が、初期位置（図３に示される位置）から回転方向一方側へ回転する構成になっている。このときには、図６に示されるように、右リンクアーム８２Ｒの先端部（カバー部材８６）が、上軸カム５０における上軸カム面５０Ａの下部（詳しくは、上軸４２に対して後斜め下方の部位）に後側から係合（当接）して、第１リンク部材８２の回転方向一方側への回転が制限される構成になっている（図６では、右リンクアーム８２Ｒの先端部（カバー部材８６）が、上軸カム面５０Ａの除変カム面５０Ａ３に係合した例を示している）。
【００６３】
一方、操作レバー６２のリフト操作位置から非操作位置への操作時には、第２リンク部材８４が押さえ棒下げ７４の下側への移動に伴って下側へ変位するため、第１リンク部材８２が、回転方向他方側（図６の矢印Ｄ方向側）へ回転する構成になっている。このため、右リンクアーム８２Ｒの先端部（カバー部材８６）と上軸カム面５０Ａとの係合状態が解除される構成になっている。つまり、右リンクアーム８２Ｒの先端部（カバー部材８６）が、上軸カム５０の上軸カム面５０Ａに係脱可能に構成されている。
【００６４】
また、針棒３０が上死点に配置された状態では、右リンクアーム８２Ｒの先端部（カバー部材８６）が、上軸カム面５０Ａにおける小径カム面５０Ａ２に係合（当接）し、針棒３０の下死点に配置された状態では、右リンクアーム８２Ｒの先端部（カバー部材８６）が、上軸カム面５０Ａにおける大径カム面５０Ａ１に係合（当接）するように、上軸４２の回転位相が設定されている。そして、前述したように、小径カム面５０Ａ２の半径が大径カム面５０Ａ１の半径よりも小さく設定されている。このため、リフト機構６０の作動時では、針棒３０が上死点に配置されたときのカバー部材８６（第１リンク部材８２）の位置（図６の２点鎖線にて示されるカバー部材８６参照）が、針棒３０が下死点に配置されたときのカバー部材８６（第１リンク部材８２）の位置（図６の１点鎖線にて示されるカバー部材８６参照）よりも第１リンク部材８２の回転方向一方側に配置されるようになっている。つまり、リフト機構６０の作動時では、針棒３０が上死点に配置されたときの押さえ棒下げ７４の上下位置（図５に示される位置であり、以下、押さえ棒下げ７４のこの位置を「第１位置」という）が、針棒３０が下死点に配置されたときの押さえ棒下げ７４の上下位置（図１に示される位置であり、以下、押さえ棒下げ７４のこの位置を「第２位置」という）よりも高い位置に設定される構成になっている。これにより、操作レバー６２がリフト操作位置に回転操作されたときの押さえ棒下げ７４の上下位置が、リンク機構８０によって、針棒３０の上下位置に応じた高さに設定される構成になっている。
【００６５】
そして、前述のように、押さえ棒抱き５４（押さえ棒５２）は、押さえ棒付勢バネ５６によって下側に付勢されている。このため、押さえ棒下げ７４の第１位置では、押さえ棒抱き５４（押さえ棒５２）が、正規のリフト位置に配置され、押さえ棒下げ７４の第２位置では、押さえ棒抱き５４（押さえ棒５２）が、正規のリフト位置に対して下側の変更リフト位置に配置される構成になっている。
【００６６】
（作用効果）
次に、リフト機構６０の動作を場合分けして説明しつつ、本実施の形態の作用及び効果について説明する。
【００６７】
＜針棒３０が上死点に配置され且つ押さえ棒５２が押さえ位置に配置された状態から押さえ棒５２をリフト位置へ上昇させた場合について＞
図３に示されるように、針棒３０が上死点に配置され且つ押さえ棒５２が押さえ位置に配置された状態（以下、この状態を「状態１」という）では、押さえ２２の上側に針棒３０の針止め３２が離間して配置されている。また、図示は省略するが、状態１では、上軸カム５０における上軸カム面５０Ａの小径カム面５０Ａ２が、第１リンク部材８２の右リンクアーム８２Ｒの先端部に対して前方側に配置されている。さらに、状態１では、リフト機構６０の操作レバー６２が非操作位置に配置されて、押さえ棒上げ７０の支持アーム７０Ａが、操作レバー６２におけるリフトカム面６４ＲＡの基端側摺動面６４ＲＢ１によって下側から支持されている。
【００６８】
そして、状態１から押さえ棒５２をリフト位置へ上昇させるには、操作者によって操作レバー６２を非操作位置からリフト操作位置へ回転させる。具体的には、操作者が操作レバー６２のレバー部６６を把持して持上げる。これにより、操作レバー６２が非操作位置から回転方向一方側（図３の矢印Ａ方向側）へ回転されて、操作レバー６２におけるリフトカム面６４ＲＡの第１摺動面６４ＲＢが、押さえ棒上げ７０の支持アーム７０Ａの下面を摺動する。そして、レバー支持軸１８の軸心から第１摺動面６４ＲＢまでの距離が、第１摺動面６４ＲＢの基端から終端へ向かうに従い長くなるように設定され、リフト量が増えるようになっている。このため、第１摺動面６４ＲＢによって支持アーム７０Ａ（すなわち、押さえ棒上げ７０）が持上げられる。そして、操作レバー６２がリフト操作位置まで回転されると、支持アーム７０Ａが第１摺動面６４ＲＢの終端側摺動面６４ＲＢ３に当接した状態に、押さえ棒上げ７０が持上げられる（図５参照）。そして、この状態では、終端側摺動面６４ＲＢ３が側面視で前後方向に沿った状態に配置されている。このため、支持アーム７０Ａ（押さえ棒上げ７０）が、操作レバー６２によって支持された状態に保持される。
【００６９】
また、押さえ棒上げ７０の上側には、バッファーバネ７６、押さえ棒下げ７４、及び押さえ棒抱き５４が、配置されている。さらに、バッファーバネ７６の付勢力が、押さえ棒付勢バネ５６の付勢力よりも大きく設定されている。このため、押さえ棒上げ７０が持上げられると、バッファーバネ７６、押さえ棒下げ７４、押さえ棒抱き５４（すなわち、押さえ棒５２）が、押さえ棒付勢バネ５６の付勢力に抗して、一体に上側へ移動する。
【００７０】
また、押さえ棒下げ７４には、第２リンク部材８４が連結されているため、押さえ棒下げ７４が上側へ移動すると、第２リンク部材８４も上側へ変位する。このため、第２リンク部材８４に連結された第１リンク部材８２が初期位置から回転方向一方側（図３の矢印Ｃ方向側）へ回転する。これにより、第１リンク部材８２の右リンクアーム８２Ｒの先端部（カバー部材８６）が、前斜め上方に変位して、上軸カム面５０Ａの小径カム面５０Ａ２に係合（当接）する。よって、押さえ棒下げ７４が、第１位置まで上昇する。その結果、図５に示されるように、押さえ棒５２（押さえ２２）が、押さえ位置から正規のリフト位置に上昇した状態（以下、この状態を「状態２」という）なる。そして、状態２では、針棒３０が上死点に配置され、押さえ２２の下端部が針３４の下端部まで到達しない位置に、押さえ２２が押さえ位置から上昇する。これにより、状態２において、押さえ２２の交換作業を容易に行うことができる。
【００７１】
なお、操作レバー６２が、非操作位置からリフト操作位置へ回転するときには、操作レバー６２の左レバー本体部６４Ｌは、押さえ棒抱き５４のロアアーム部５４Ｂ１に当接せず、操作レバー６２のリフト操作位置において、操作レバー６２の補助リフトカム面６４ＬＢがロアアーム部５４Ｂ１の後側に離間した状態に配置される。すなわち、状態１から状態２では、押さえ棒抱き５４が、操作レバー６２の補助リフトカム面６４ＬＢによる影響を受けることなく、正規のリフト位置に上昇する。
【００７２】
＜状態２から押さえ棒５２を補助リフト位置へ上昇させる場合について＞
図５に示される状態２において押さえ棒５２を補助リフト位置へ上昇させるには、操作者によって操作レバー６２をリフト操作位置から回転方向一方側（図５の矢印Ａ方向側）へ回転させて補助リフト操作位置に配置させる。これにより、操作レバー６２の補助リフトカム面６４ＬＢが、押さえ棒抱き５４のロアアーム部５４Ｂ１の下面を摺動する。そして、レバー支持軸１８の軸心から補助リフトカム面６４ＬＢまでの距離が、補助リフトカム面６４ＬＢの基端から終端に向かうに従い長く設定され、リフト量が増えるようになっている。このため、図９に示されるように、押さえ棒抱き５４（ロアアーム部５４Ｂ１）が、補助リフトカム面６４ＬＢによって持上げられて、押さえ棒抱き５４（押さえ棒５２）が押さえ棒付勢バネ５６の付勢力に抗してリフト位置から補助リフト位置に上昇する（以下、この状態を「状態３」という）。そして、状態３では、ロアアーム部５４Ｂ１におけるガイド部５４Ｂ２の基端側の屈曲部が、補助リフトカム面６４ＬＢの基端と終端との間の部位に当接する。
【００７３】
一方、操作レバー６２がリフト操作位置から回転方向一方側へ回転するときには、操作レバー６２におけるリフトカム面６４ＲＡの第２摺動面６４ＲＣが、押さえ棒上げ７０の支持アーム７０Ａの下面を摺動する。そして、第２摺動面６４ＲＣでは、レバー支持軸１８の軸心から第２摺動面６４ＲＣまでの距離が、第２摺動面６４ＲＣの基端から終端に亘って一定に設定されている。このため、操作レバー６２がリフト操作位置から回転方向一方側へ回転するときには、第２摺動面６４ＲＣから押さえ棒上げ７０に持上力が作用せず、押さえ棒上げ７０の上下位置が維持される。これにより、リフト位置変更機構７２が作動しない。つまり、押さえ棒下げ７４及びリンク機構８０の状態が、状態２から変化しない。よって、状態２から状態３では、押さえ棒抱き５４が押さえ棒下げ７４に対して上側に相対移動して、押さえ棒抱き５４と押さえ棒下げ７４との当接状態が解除される。
【００７４】
そして、状態３では、状態２に対して押さえ２２が上昇するため、針板２４と押さえ２２との間に、比較的厚みの厚いものを挿入する等の作業を行うことができる。
【００７５】
＜状態２から針棒３０を上死点から下死点に下降させた場合について＞
図５に示される状態２において、操作者がはずみ車を手動で回転させると、上軸４２が、自身の軸回りに回転して、針棒３０が上死点から下死点に下降する。このため、上軸４２に一体回転可能に設けられた上軸カム５０が、上軸４２と共に回転する。そして、針棒３０が下死点に下降したときには、上軸カム面５０Ａの大径カム面５０Ａ１が、第１リンク部材８２の右リンクアーム８２Ｒの先端部の前方側に配置される。
【００７６】
一方、状態２では、第１リンク部材８２の右リンクアーム８２Ｒの先端部（カバー部材８６）が、上軸カム面５０Ａの小径カム面５０Ａ２に係合（当接）している。このため、状態２において操作者がはずみ車を回転させると、右リンクアーム８２Ｒが上軸カム面５０Ａに係合した状態で、上軸カム５０が右リンクアーム８２Ｒに対して相対回転する。そして、上述のように、針棒３０が下死点に下降したときには、上軸カム面５０Ａの大径カム面５０Ａ１が、第１リンク部材８２の右リンクアーム８２Ｒの先端部の前方側に配置される。このため、上軸カム面５０Ａにおける右リンクアーム８２Ｒに係合（当接）する部位が、小径カム面５０Ａ２から大径カム面５０Ａ１に変更される。これにより、右リンクアーム８２Ｒ（第１リンク部材８２）が、上軸カム５０によって、後側に押圧されて、第１リンク部材８２が、状態２から回転方向他方側へ回転する。
【００７７】
第１リンク部材８２が回転方向他方側へ回転すると、第１リンク部材８２の左リンクアーム８２Ｌに連結された第２リンク部材８４が下側へ変位する。すなわち、第２リンク部材８４が、押さえ棒下げ７４を押し下げながら下側へ変位する。一方、押さえ棒上げ７０は、操作レバー６２によって下側から支持されており、押さえ棒上げ７０の下側への移動が操作レバー６２によって制限されている。このため、第２リンク部材８４が、押さえ棒下げ７４を押し下げるときには、バッファーバネ７６が圧縮変形して、押さえ棒下げ７４の下側への移動が許容される。その結果、押さえ棒下げ７４が第１位置から第２位置へ下降する。
【００７８】
そして、押さえ棒抱き５４は、押さえ棒付勢バネ５６によって下側に付勢されている。このため、図１に示されるように、押さえ棒下げ７４の下降に伴って、押さえ棒抱き５４（押さえ棒５２）が正規のリフト位置から変更リフト位置に下降した状態になる（以下、この状態を「状態４」という）。したがって、状態４では、状態２に対して針棒３０が下降して針止め３２が押さえ２２に接近するが、リフト位置変更機構７２によって押さえ２２（押さえ棒５２）も正規のリフト位置から下降する。以上により、操作者の誤操作等によって、ミシン１０を状態２から状態４にしても、針止め３２と押さえ２２（の下端部）との干渉が回避される。
【００７９】
＜針棒３０が下死点に配置され且つ押さえ棒５２が押さえ位置に配置された状態から押さえ棒５２をリフト位置へ上昇させる場合について＞
図１０に示されるように、針棒３０が下死点に配置され且つ押さえ棒５２が押さえ位置に配置された状態（以下、この状態を「状態５」という）では、針棒３０の針止め３２が、状態１（図３参照）に対して押さえ２２に接近した位置に配置されている。また、状態５では、図示は省略するが、上軸カム５０における上軸カム面５０Ａの大径カム面５０Ａ１が、第１リンク部材８２における右リンクアーム８２Ｒの先端部の前方側に配置されている。さらに、状態５では、状態１と同様に、リフト機構６０の操作レバー６２が非操作位置に配置されて、押さえ棒上げ７０の支持アーム７０Ａが、操作レバー６２におけるリフトカム面６４ＲＡの基端側摺動面６４ＲＢ１に下側から支持されている。
【００８０】
そして、状態５において、操作者が操作レバー６２を非操作位置からリフト操作位置へ回転操作すると、操作レバー６２が非操作位置から回転方向一方側（図１０の矢印Ａ方向側）へ回転されて、操作レバー６２におけるリフトカム面６４ＲＡの第１摺動面６４ＲＢが、押さえ棒上げ７０の支持アーム７０Ａの下面を摺動する。このため、第１摺動面６４ＲＢによって支持アーム７０Ａ（すなわち、押さえ棒上げ７０）が持上げられる。
【００８１】
また、押さえ棒上げ７０が持上げられると、バッファーバネ７６、押さえ棒下げ７４、押さえ棒抱き５４（すなわち、押さえ棒５２）が、押さえ棒付勢バネ５６の付勢力に抗して、一体に上側へ移動する。さらに、押さえ棒下げ７４が上側へ移動するときには、上述と同様に、押さえ棒下げ７４に連結された第２リンク部材８４も上側へ変位して、第２リンク部材８４に連結された第１リンク部材８２が初期位置から回転方向一方側（図１０の矢印Ｃ方向側）へ回転する。これにより、第１リンク部材８２の右リンクアーム８２Ｒの先端部（カバー部材８６）が、前斜め上方に変位して、上軸カム面５０Ａの大径カム面５０Ａ１に係合（当接）する。このため、押さえ棒下げ７４が、第１位置（図３参照）まで上昇せず、第２位置において停止する。すなわち、操作レバー６２のリフト操作位置への操作完了前に、押さえ棒下げ７４の上側への移動がリンク機構８０によって制限されて、押さえ棒下げ７４の高さが第２位置として設定される。
【００８２】
一方、押さえ棒上げ７０は、操作レバー６２によって正規の持上位置まで持上げられる。このため、押さえ棒下げ７４が第２位置に到達した後に、押さえ棒上げ７０が、操作レバー６２によって持上げられるときには、バッファーバネ７６が圧縮変形して、押さえ棒上げ７０の上側への移動が許容される。その結果、押さえ棒下げ７４が第２位置に配置された状態で、操作レバー６２に対する操作が完了する。
【００８３】
これにより、押さえ棒５２（押さえ２２）が、押さえ位置から正規のリフト位置まで上昇せずに、正規のリフト位置よりも下側の変更リフト位置に上昇した状態になる。つまり、押さえ棒５２（押さえ２２）が、図１に示される状態４と同じ変更リフト位置に上昇する。したがって、針棒３０が下死点に配置された状態において、操作者の誤操作によって、操作レバー６２を非操作位置からリフト操作位置へ回転させても、押さえ２２が正規のリフト位置の手前の変更リフト位置までしか上昇しない。その結果、針止め３２と押さえ２２（の下端部）との干渉が回避される。
【００８４】
以上説明したように、本実施の形態のミシン１０によれば、押さえ棒５２（押さえ棒抱き５４）を押さえ位置からリフト位置へ上昇させるリフト機構６０が、リフト位置変更機構７２を有している。このリフト位置変更機構７２は、押さえ棒抱き５４の下側に隣接して配置された押さえ棒下げ７４と、押さえ棒上げ７０と押さえ棒下げ７４との間に配置されたバッファーバネ７６と、押さえ棒下げ７４に連結され且つ上軸カム５０の上軸カム面５０Ａに係合可能に構成されたリンク機構８０と、を含んで構成されている。そして、リンク機構８０が上軸カム５０と係合するときの押さえ棒下げ７４の上下位置（高さ）が、針棒３０の上下位置に対応した高さに設定される。詳しくは、リンク機構８０が上軸カム５０と係合するときには、針棒３０が下死点に配置されたときの押さえ棒下げ７４の上下位置が、針棒３０が上死点に配置されたときの押さえ棒下げ７４の上下位置と比べて、下側の位置に設定される。これにより、針棒３０が下死点に配置されたときの押さえ棒５２のリフト位置を、正規のリフト位置よりも下側の変更リフト位置に変更することができる。したがって、押さえ２２と針止め３２（針棒３０の下端部）との干渉を回避することができる。
【００８５】
また、リンク機構８０は、回転可能に構成された第１リンク部材８２と、第１リンク部材８２と押さえ棒下げ７４とを連結する第２リンク部材８４と、を含んで構成されている。そして、第１リンク部材８２が、初期位置から回転方向一方側へ回転することで、第１リンク部材８２の右リンクアーム８２Ｒが上軸カム５０と係合する。このため、第１リンク部材８２を、押さえ棒下げ７４の上方側への移動に連動して回転させて上軸カム５０と係合させることができる。これにより、簡易な構成で、押さえ棒下げ７４の上下位置をリンク機構８０によって設定することができる。
【００８６】
また、第１リンク部材８２は、上軸４２と平行を成すリンク支持軸１６に回転可能に支持されると共に、上軸カム５０の後側に配置されている。これにより、リンク機構８０の大型化を抑制しつつ、第１リンク部材８２を上軸カム５０に係脱可能に構成することができる。
【００８７】
また、操作レバー６２は、リフトカム面６４ＲＡと、補助リフトカム面６４ＬＢと、を有している。そして、操作レバー６２の非操作位置からリフト操作位置への回転操作時には、リフトカム面６４ＲＡ（の第１摺動面６４ＲＢ）が、押さえ棒上げ７０の支持アーム７０Ａに当接して、押さえ棒上げ７０を持上げる。また、操作レバー６２のリフト操作位置から補助リフト操作位置への回転操作時には、補助リフトカム面６４ＬＢが、押さえ棒抱き５４のロアアーム部５４Ｂ１に当接して、押さえ棒抱き５４を持上げる。これにより、押さえ棒５２（押さえ２２）をリフト位置よりもさらに上側の補助リフト位置に上昇させることができる。よって、押さえ棒５２（押さえ２２）を一時的に補助リフト位置に上昇させることで、押さえ２２を針板２４からさらに離間させた状態で作業を行うことができる。したがって、操作者に対する利便性を向上することができる。
【００８８】
また、操作レバー６２のリフトカム面６４ＲＡは、操作レバー６２が非操作位置からリフト操作位置へ回転されるときに押さえ棒上げ７０に当接する第１摺動面６４ＲＢと、操作レバー６２がリフト操作位置から補助リフト操作位置へ回転されるときに押さえ棒上げ７０に当接する第２摺動面６４ＲＣと、を含んで構成されている。そして、第２摺動面６４ＲＣが、側面視で、レバー支持軸１８の軸心を中心とした円弧状に形成されている。このため、操作レバー６２がリフト操作位置から補助リフト操作位置へ回転されるときには、第２摺動面６４ＲＣから押さえ棒上げ７０に持上力が作用せず、押さえ棒上げ７０の上下位置が維持される。これにより、操作レバー６２の補助リフト操作位置への回転時には、リフト位置変更機構７２を非作動状態に維持することができる。その結果、リフト位置変更機構７２の第１リンク部材８２が、状態２から回転方向一方側へ回転して、上軸カム５０を押圧することを抑制できる。したがって、押さえ棒５２（押さえ２２）を補助リフト位置へ上昇させるときに、リフト位置変更機構７２や上軸カム５０が破損することを抑制できる。
【００８９】
また、操作レバー６２では、リフトカム面６４ＲＡが右レバー本体部６４Ｒの外周部の一部を構成し、補助リフトカム面６４ＬＢが左レバー本体部６４Ｌの外周部の一部を構成して、リフトカム面６４ＲＡ及び補助リフトカム面６４ＬＢが左右方向（すなわち、レバー支持軸１８の軸方向）に並んで配置されている。これにより、左右方向における操作レバー６２の体格の大型化を抑制しつつ、リフトカム面６４ＲＡ及び補助リフトカム面６４ＬＢを操作レバー６２に形成することができる。
【００９０】
なお、本実施の形態では、押さえ棒下げ７４が、押さえ棒抱き５４の下側に隣接して配置されて、押さえ棒抱き５４に直接的に当接されている。これに代えて、押さえ棒下げ７４と押さえ棒抱き５４との間に、他の部材を介在させて、押さえ棒下げ７４を押さえ棒抱き５４に間接的に当接させてもよい。この場合には、他の部材を、上下方向に相対移動可能に押さえ棒５２に連結させる。
【００９１】
また、本実施の形態では、押さえ棒上げ７０と押さえ棒下げ７４との間に配置されたバッファーバネ７６が、圧縮コイルスプリングとして構成されているが、バッファーバネ７６の構成はこれに限らない。例えば、バッファーバネ７６を板バネ等によって構成してもよい。
【００９２】
また、本実施の形態では、操作レバー６２が、メインフレーム１４の後側に配置されているが、操作レバー６２の位置は、これに限らない。例えば、操作レバー６２を、メインフレーム１４の左側に配置して、前後方向を軸方向として回転可能に構成してもよい。この場合には、押さえ棒抱き５４の押さえ棒抱きアーム５４Ｂ及び押さえ棒抱き５４の支持アーム７０Ａの形状を適宜変更してもよい。
【符号の説明】
【００９３】
１０          ミシン
１２          支持フレーム
１４          メインフレーム
１４Ａ        屈曲部
１４Ｂ        連結片
１４Ｃ        挿通孔
１４Ｄ        連結片
１４Ｅ        第１ガイド溝
１４Ｆ        第２ガイド溝
１４Ｇ        第３ガイド溝
１４Ｈ        ストッパ部
１４Ｌ        ロアフレーム部
１４Ｒ        リヤフレーム部
１４Ｕ        アッパフレーム部
１６          リンク支持軸
１８          レバー支持軸
２０          サブフレーム
２２          押さえ
２４          針板
３０          針棒
３２          針止め
３４          針
３６          連結軸
４０          針棒駆動機構
４２          上軸
４４          クランク機構
４６          針棒クランク
４８          クランクロッド
５０          上軸カム
５０Ａ        上軸カム面（カム面）
５０Ａ１      大径カム面
５０Ａ２      小径カム面
５０Ａ３      除変カム面
５２          押さえ棒
５４          押さえ棒抱き
５４Ａ        押さえ棒抱き本体
５４Ｂ        押さえ棒抱きアーム
５４Ｂ１      ロアアーム部
５４Ｂ２      ガイド部
５４Ｃ        ガイドアーム
５６          押さえ棒付勢バネ
６０          リフト機構
６２          操作レバー
６４          レバー本体部
６４Ａ        支持孔
６４Ｌ        左レバー本体部
６４ＬＡ      非当接面
６４ＬＡ１    湾曲面
６４ＬＡ２    第１傾斜面
６４ＬＡ３    第２傾斜面
６４ＬＢ      補助リフトカム面（第２カム面）
６４Ｒ        右レバー本体部
６４ＲＡ      リフトカム面（第１カム面）
６４ＲＢ      第１摺動面
６４ＲＢ１    基端側摺動面
６４ＲＢ２    中間摺動面
６４ＲＢ３    終端側摺動面
６４ＲＣ      第２摺動面
６６          レバー部
７０          押さえ棒上げ
７０Ａ        支持アーム
７０Ｂ        ガイド部
７０Ｃ        ガイドアーム
７２          リフト位置変更機構
７４          押さえ棒下げ
７４Ａ        ガイドアーム
７６          バッファーバネ（中間付勢部材）
８０          リンク機構（高さ設定機構）
８２          第１リンク部材
８２Ａ        連結片
８２Ｌ        左リンクアーム
８２Ｒ        右リンクアーム（アーム部）
８４          第２リンク部材
８６          カバー部材
Ｐ１          連結ピン
Ｐ２          連結ピン
【図１】
2019208806.tif 000003
【図２】
2019208806.tif 000004
【図３】
2019208806.tif 000005
【図４】
2019208806.tif 000006
【図５】
2019208806.tif 000007
【図６】
2019208806.tif 000008
【図７】
2019208806.tif 000009
【図８】
2019208806.tif 000010
【図９】
2019208806.tif 000011
【図１０】
2019208806.tif 000012